(57)【要約】【課題】  表示装置に表示するＥＰＧとは別の、視聴可能な全てのチャンネル、全ての時間分の番組情報を、視聴者が簡単に見やすい形態で得ることを可能ならしめることを課題とする。【解決手段】  本発明のテレビジョン放送受信装置は、複数の番組データとともに番組情報データを多重して送信されるテレビジョン放送波を受信する受信手段と、前記受信手段により受信された前記番組情報データを印刷用データに変換して印刷手段に番組情報を出力する印刷制御手段とを有し、前記印刷制御手段は、前記番組情報が所定のページ数に収まるように前記番組情報の印刷形態を決定するように構成されている。【選択図】        図８
2004208294.tif 000002
【特許請求の範囲】
【請求項１】
複数の番組データとともに番組情報データを多重して送信されるテレビジョン放送波を受信する受信手段と、
前記受信手段により受信された前記番組情報データを印刷用データに変換して印刷手段に番組情報を出力する印刷制御手段とを有し、
前記印刷制御手段は、前記番組情報が所定のページ数に収まるように前記番組情報の印刷形態を決定することを特徴とするテレビジョン放送受信装置。
【請求項２】
前記番組情報データの一部の番組情報データを選択する選択手段を有し、
前記印刷制御手段は、前記選択手段により選択された番組情報データを印刷用データに変換して印刷手段に出力することを特徴とする請求項１に記載のテレビジョン放送受信装置。
【請求項３】
前記選択手段は、前記複数の番組情報データのうち前記テレビジョン放送受信装置において視聴可能な番組、所定の放送時間帯に放送される番組、又は所定の条件に従って検索された番組に係る番組情報データを夫々選択することを特徴とする請求項２に記載のテレビジョン放送受信装置。
【請求項４】
前記印刷制御手段は、前記番組情報データに含まれる番組数と前記印刷手段により使用する紙のサイズ情報とに応じて前記番組情報のフォントサイズを決定することを特徴とする請求項１に記載のテレビジョン放送受信装置。
【請求項５】
前記印刷制御手段は、定型用紙の一辺に時間軸をとり、他辺に前記番組が放送されるチャンネルのチャンネル軸をとり、前記番組情報が前記所定のページ数におさまるように、各チャンネルの表示幅及び番組情報のフォントサイズを決定することを特徴とする請求項１に記載のテレビジョン放送受信装置。
【請求項６】
前記印刷制御手段は、複数の印刷モードを選択的に切換えて制御することを特徴とする請求項５に記載のテレビジョン放送受信装置。
【請求項７】
前記複数の印刷モードは、前記番組情報が１ページにおさまるように、各チャンネルの表示幅及び前記番組情報のフォントサイズを決定する第１の印刷モードと、前記番組情報に係るチャンネル数が所定のチャンネル数よりも多い場合には、複数ページにわたり印刷するように各チャンネルの表示幅及び前記番組情報のフォントサイズを決定する第２の印刷モードとを含むことを特徴とする請求項６に記載のテレビジョン放送受信装置。
【請求項８】
前記複数の印刷モードは、さらに、前記番組情報を固定されたフォントサイズで定型用紙に印刷するように制御する第３の印刷モードを含むことを特徴とする請求項７に記載のテレビジョン放送受信装置。
【請求項９】
前記複数の印刷モードは、さらに、前記番組情報を所定のフォントサイズでロール紙に印刷するように制御する第４の印刷モードを有することを特徴とする請求項８に記載のテレビジョン放送受信装置。
【請求項１０】
複数の番組データとともに番組情報データを多重して送信されるテレビジョン放送波を受信ステップと、
前記受信された前記番組情報データを印刷用データに変換して印刷手段に番組情報を出力する印刷制御ステップとを備え、
前記印刷制御ステップは、前記番組情報が所定のページ数に収まるように前記番組情報の印刷形態を決定することを特徴とするテレビジョン放送受信方法。
【発明の詳細な説明】
【技術分野】
【０００１】
本発明は、テレビジョン放送受信技術に関し、詳しくは、ＣＳデジタル放送、ＢＳデジタル放送、地上波デジタル放送といった、符号化されたビデオ、オーディオ、番組情報信号等を受け、これらビデオ、オーディオ信号を復号して表示ならしめるとともに、電子番組表（以下ＥＰＧとする）を操作者に提供するデジタルテレビジョン放送受信技術に関するものである。
【背景技術】
【０００２】
近年開始されたデジタル放送では、番組選択を容易にするためのＥＰＧを受信機側が作成できるように、番組配列情報が映像、音声情報等と多重化されて放送される。図１０にＡＲＩＢ（電波産業会）発行の「デジタル放送に使用する番組配列情報」ドラフト記載の番組配列情報のテーブルの名称と機能を示す。また、図１１には上記番組配列情報テーブルのＰＩＤ（パケット識別子）を示す。この番組配列情報テーブルを参照することにより、編成チャンネルの名称、番組の名称、放送日時、内容の説明などが取得でき、これらの情報を用いて各受信機はＥＰＧを生成することができる。図２にそのＥＰＧの表示例を示す。ただし、このＥＰＧの仕様については原則として受信機メーカーの商品企画マターであり規格化されない。
【０００３】
このＥＰＧの表示については様々な提案がなされており、例えば特開昭６１−２２７４８６には、現在の時刻を見て、現在の時刻より後の番組表のみを表示する技術が開示されている。また特開平９−３７１６７には、表示装置のアスペクト比の設定に応じてＥＰＧの表示配列を変更する方法が開示されている。これらの提案はＥＰＧを表示装置上に表示するものであるが、例えば特開平１１−２７５４６２には、表示装置に表示するとともに印刷装置により印刷するシステムが開示されている。また、特開２００１−２２３９６８には、ＥＰＧデータをフィルタリングして表形式などで記憶し、プリンタ装置の印刷制御プログラムに従い、ＥＰＧデータをレイアウトして印刷する印刷装置が開示されている。
【０００４】
【特許文献１】特開昭６１−２２７４８６号公報
【特許文献２】特開平９−３７１６７号公報
【特許文献３】特開平１１−２７５４６２号公報
【特許文献４】特開２００１−２２３９６８号公報
【発明の開示】
【発明が解決しようとする課題】
【０００５】
上記従来例は、ＥＰＧを解像度が低い通常の家庭用テレビジョン受像機（水平、垂直解像度がそれぞれ７２０，４８０もしくは１９２０，１０８０）に表示することが前提であるため、一度に表示できる情報が少ない。すなわち、例えば５チャンネル、３時間分の番組情報しか一度に表示できず、視聴者はリモコン等を使って画面をスクロールさせ、所望の番組情報を観るしかなかった。またこの画面上のＥＰＧを印刷したところで問題は解決しない。しかも多チャンネルが特徴であるデジタル放送においてはこの問題はさらに顕著になる。また視聴可能な全てのＥＰＧ情報を印刷することは上記従来例から容易に推測されるが、操作者の見易さを考慮したＥＰＧ印刷の従来例はこれまでなかった。
【０００６】
本発明は、上述の点に鑑み、表示装置に表示するＥＰＧとは別の、視聴可能な全てのチャンネル、全ての時間分の番組情報を、視聴者が簡単に見やすい形態で得ることを可能ならしめるテレビジョン放送受信技術を提供することを目的とする。
【課題を解決するための手段】
【０００７】
このような目的下において、本発明のテレビジョン放送受信装置は、複数の番組データとともに番組情報データを多重して送信されるテレビジョン放送波を受信する受信手段と、前記受信手段により受信された前記番組情報データを印刷用データに変換して印刷手段に番組情報を出力する印刷制御手段とを有し、前記印刷制御手段は、前記番組情報が所定のページ数に収まるように前記番組情報の印刷形態を決定することを特徴とする。
また、本発明のテレビジョン放送受信方法は、複数の番組データとともに番組情報データを多重して送信されるテレビジョン放送波を受信ステップと、前記受信された前記番組情報データを印刷用データに変換して印刷手段に番組情報を出力する印刷制御ステップとを備え、前記印刷制御ステップは、前記番組情報が所定のページ数に収まるように前記番組情報の印刷形態を決定することを特徴とする。
【発明の効果】
【０００８】
以上説明したように、本発明によれば、見やすく印刷された番組情報を得ることができるので、欲しい番組情報を簡単に、かつ迅速に得ることができる。
【発明を実施するための最良の形態】
【０００９】
本発明の実施形態は、必要な番組ガイド情報が簡単に、そして直ぐに得られるよう、全ての番組ガイド情報を高解像度の印刷手段を用いて、操作者が見やすいように印刷できるように工夫したところに特徴がある。高解像度の印刷手段、例えば６００ｄｐｉの印刷手段を用いると、Ａ４サイズの用紙でも通常のＮＴＳＣのテレビジョン受像機の約１０倍（水平、垂直共）の画素数が得られる。従って、用紙の一辺である縦軸（短辺）に２４時間分の時間軸をとり、用紙の他辺である横軸（長辺）に各視聴可能な番組をとるレイアウトでほとんどの番組情報を網羅することが可能となる。
【００１０】
本発明第１の実施形態（第２及び第３の印刷モードに対応）では、所定のフォントサイズで予め定めたチャンネル分を１枚の用紙に印刷し、必要枚数印刷することで全ての視聴可能チャンネル分印刷する。本発明第１の実施形態では、午前と午後の番組ガイド情報を別個に分けて印刷する場合と、同時に１ページの中に印刷する場合の両方がある。もちろんどちらでも良いことは言うまでもないが、午前と午後を分けた方がより大きいフォントを使用できることは言うまでもない。また、高齢者でも見やすいように、大き目のフォントサイズに固定し、チャンネル数に応じて、複数ページの定型用紙に印刷することもできる。
【００１１】
本発明第２の実施形態（第４の印刷モードに対応）では、印刷する用紙としてロール紙を用いることにより、第１の実施形態の１枚分のチャンネル数を算出してレイアウトする処理を省く。
【００１２】
本発明第３の実施形態（第１の印刷モードに対応）では、視聴可能なチャンネル数に応じて、好適なるフォントサイズを決定し、全ての番組情報を１枚に印刷出来るようにする。この場合フォントサイズは小さくなるが、全ての情報が１枚の定型用紙におさまるため、必要な情報を得る時間が短くなると共に、用紙の節約にもなる。
【００１３】
本発明第４の実施形態では上記第１、第２、第３の実施形態の印刷方法を、操作者が選択可能にする。
【００１４】
＜第１の実施形態＞
以下、図面を参照して本発明第１の実施形態について説明する。
ただし、以下、実線はデータライン、破線はコントロールラインを表すものとする。
【００１５】
図１は、本発明の第１の実施形態にかかるテレビジョン受像機（番組情報印刷制御装置）の構成例を示すブロック図である。
該ブロックは、フロントエンド手段１．１、ＣＡ（Ｃｏｎｄｉｔｉｏｎａｌ  Ａｃｃｅｓｓ）手段１．２、デマルチプレックス手段１．３、デコーダー手段１．４、表示制御手段１．５、表示手段１．６、外部入力受信手段１．７、描画手段１．８、メモリ手段１．９、印刷制御手段１．１０、印刷手段１．１１、システム制御手段１．１２からなる。
【００１６】
フロントエンド手段１．１で復調されたトランスポートストリームは、暗号化されている場合にはＣＡ手段１．２でデスクランブルされた後、デマルチプレックス手段１．３でビデオ、オーディオ、情報信号にデマルチプレックスされ、このうちビデオ信号は、デコーダー手段１．４により復号化され、表示制御手段１．５により表示手段１．６に表示可能な信号に変換される。システム制御手段１．１２は、操作者からの番組ガイド印刷要求を外部入力手段１．７を通して検知すると、上述したデマルチプレックス手段１．３から得た番組情報データを基に、描画手段１．８を用いて番組ガイド画像（印刷用ＥＰＧ画像）を作成し、メモリ手段１．９に格納せしめる。該格納された番組ガイド画像は、所望のタイミングで印刷制御手段１．１０に送られ、印刷手段に好適な信号に変換され、印刷手段１．１１で印刷される。なお、オーディオ信号に関しては本発明の実施の形態と関係ないため説明を省略している。
【００１７】
＜フロントエンド手段＞
フロントエンド手段１．１は、詳しくは、チューナー部と、復調部、エラー訂正部（図示せず）により構成され、アンテナ（図示せず）から出力されたＲＦ信号を復調し、例えば８ＰＳＫ復調された後、エラー検出され、必要に応じて補正される。
【００１８】
＜ＣＡ手段＞
ＣＡ手段は、詳しくはＩＣカードのＣＡＭ（Ｃｏｎｄｉｔｉｏｎａｌ  Ａｃｃｅｓｓ  Ｍｏｄｕｌｅ）、およびカードリーダー、デスクランブラ（図示せず）により構成される。ＣＡＭ内には暗号を解読するのに必要なキーが解読プログラムとともに格納されると共に、課金情報等も格納される。放送局側で暗号化（スクランブル）された信号が送られてきた場合、このＣＡＭ内のマスターキーを用いて放送波にスクランブルされている暗号化されたワークキーを解き、このワークキーを用いてスクランブルキーの暗号を解き、このスクランブルキーを用いてＴＳ（Ｔｒａｎｓｐｏｒｔ  Ｓｔｒｅａｍ）ペイロードのデスクランブルを行う。なお、暗号化されているかどうかの判定はＴＳパケットヘッダのスクランブル制御フラグ、アダプテーションフィールドコントロールを参照することにより行う。
【００１９】
＜デマルチプレックス手段＞
デマルチプレックス手段１．３は、ＣＡ手段１．２より出力されたトランスポートストリームを夫々ビデオ、オーディオ、情報信号にデマルチプレックスし、このうちビデオ信号をデコーダー手段１．４へ、オーディオ信号を不図示のＤ/Ａ変換器を介してスピーカ等のオーディオ出力手段へ、情報信号をシステム制御手段１．１２を介してメモリ手段１．９へ出力する。
＜デコーダー手段＞
デコーダー手段１．４は、デマルチプレックス手段１．３より出力されたビデオ信号を復号し、表示制御手段１．５へ出力する。
【００２０】
＜表示制御手段＞
続いて表示制御手段１．５について説明する。表示制御手段１．５は、前記デコーダー手段１．４から出力された信号を下記表示手段１．６に表示可能なデータに変換を行う。
【００２１】
＜表示手段＞
表示手段１．６は、液晶ディスプレイ、プラズマディスプレイといった薄型、軽量のドットマトリクスディスプレイでも良いし、通常のＣＲＴディスプレイでも良い。
【００２２】
＜外部入力受信手段＞
外部入力受信手段１．７は、操作者からのリモコンもしくはテレビジョン受信機前面の操作キーを用いた操作を受信する手段であり、後述のシステム制御手段１．１２により制御される。該外部入力受信手段１．７は操作者からのＥＰＧ印刷要求等に用いられる。操作者からの操作が通常のリモコンである場合、ＩＲ（赤外線）受光部としての役割をはたす。
【００２３】
＜描画手段＞
描画手段１．８は、後述のシステム制御手段１．１２の制御を受け、上記デマルチプレックス手段１．３より出力された番組情報データ（図１０参照）を用いて番組情報が記載された番組ガイド画像を作成する。図３に本発明第１の実施形態にかかる番組ガイド画像の例を示す。図３には午前と午後の番組ガイドを分け、１ページに印刷するチャンネル数を８つにした場合の例を示している。もちろん午前と午後の両方を一度に印刷することも可能である。
【００２４】
＜メモリ手段＞
メモリ手段１．９は、上記描画手段１．８により作成された番組ガイド画像を格納する。該メモリ手段１．９に格納された番組ガイド画像はシステム制御手段１．１２の制御により、印刷手段１．１１で印刷されるとき好適なタイミングで読み出される。
【００２５】
＜印刷制御手段＞
印刷制御手段１．１０は、上記メモリ手段１．９に格納されている番組ガイド画像を後述のシステム制御手段１．１２の制御により受け、これを後述の印刷手段１．１１に好適な信号に変換する。
【００２６】
＜印刷手段＞
印刷手段１．１１は、上記印刷制御手段１．１０より出力された信号を受け、番組ガイド画像を印刷する。本発明第１の実施形態ではＡ３，Ａ４，Ｂ４といった定型用紙に印刷することを前提としている。その他の実施形態の場合については後述する。
【００２７】
＜システム制御手段＞
最後にシステム制御手段１．１２について図６のフロー図を用いて説明する。システム制御手段１．１２は、上記デマルチプレックス手段１．３より番組配列情報の各テーブル（図１０参照）を受け（Ｓ６．１）、視聴可能チャンネル数（以下ＣＨ＿ＴＯＴＡＬとする）を算出する（Ｓ６．２）。そして視聴者が見やすいと想定されるフォントサイズを考慮して予め定めた１ページに印刷可能なチャンネル数（以下ＣＨ＿ＭＡＸ＿１Ｐとする）で、上記ＣＨ＿ＴＯＴＡＬを除算して印刷すべきページ数（以下ＰＡＧＥとする）を算出する（Ｓ６．３）。
【００２８】
ただし、図３に示したように、午前と午後の番組ガイドを分けて印刷する場合には、ＰＡＧＥが２倍の値になるのは言うまでもない。以下の説明においては、午前と午後を分ける場合と分けない場合との違いは容易に推測されるため、本説明においては、午前と午後を分けて印刷する場合についてのみ説明する。
【００２９】
以下、上述した描画手段１．８を用いて、番組ガイドを作成し、これを同じく上述したメモリ手段１．９に格納する処理について説明する。
ａ）午前／午後のタグおよび時間軸を描画（図３の左端部分）する（Ｓ６．４）。
ｂ）チャンネル番号およびチャンネルの名称（図３の上端部分）を描画する（Ｓ６．５）。
ｃ）各チャンネルの午前または午後の全ての番組情報を描画する（Ｓ６．６）。
ｄ）ＣＨ＿ＭＡＸ＿１Ｐ回ループするまで、ｂ）の処理に戻って繰り返す（Ｓ６．７）。
ｅ）ＰＡＧＥ回ループするまで、ａ）に戻る（Ｓ６．８）。
ｆ）午前、午後ともに番組ガイド画像生成が終了するまで、ａ）に戻る（Ｓ６．９）。
ｇ）メモリ手段１．９に格納された番組ガイド画像を印刷制御手段１．１０に送信する（Ｓ６．１０）。
【００３０】
＜第２の実施形態＞
続いて、図面を参照して本発明第２の実施形態について説明する。
本発明の第２の実施形態にかかるテレビジョン受像機の構成例は、本発明の第１の実施形態と同様に図１に示した通りであるため説明を省略する。また、本発明第２の実施形態では、図１の構成におけるシステム制御手段１．１２における処理のみが異なるため、これについて図４の概念図および図７のフロー図を用いて説明する。
【００３１】
本発明第２の実施形態では、第１の実施形態で用いる定型用紙に変えてロール紙を使用する。図４に本発明第２の実施形態の番組ガイド画像例を示す。本発明第２の実施形態では、本発明第１の実施形態で必要な印刷するページ数の算出が不要になる。以下、図７のフロー図を用いて詳細に説明する。
【００３２】
システム制御手段１．１２は、上述したデマルチプレックス手段１．３より番組配列情報の各テーブル（図１０参照）を受け（Ｓ７．１）、視聴可能チャンネル数（以下ＣＨ＿ＴＯＴＡＬとする）を算出する（Ｓ７．２）。ここで、視聴可能チャンネルとは無料視聴可能なチャンネルを含むが、有料チャンネルについてはユーザ契約により視聴可能となっているチャンネルのみの番組情報を印刷したり、すべての有料チャンネルの番組情報を印刷するようにしてもよい。ユーザ契約により視聴可能となっているチャンネルを含む場合は、前述の番組配列情報に加えてテレビ受信機が保持しているユーザの契約情報を参照して視聴可能チャンネルを算出する。
【００３３】
そして視聴者が見やすいと想定される予め定めたフォントサイズで、上述した描画手段１．８を用いて、番組ガイドを作成し、これを同じく上述したメモリ手段１．９に格納する処理について説明する。ただし、図４に示したように、午前と午後の番組ガイドを分けて印刷する場合には、ＣＨ＿ＴＯＴＡＬが２倍の値になるのは言うまでもない。以下の説明においては、午前と午後を分ける場合と分けない場合との違いは容易に推測されるため、本説明においては、午前と午後を分けて印刷する場合についてのみ説明する。
【００３４】
ａ）午前／午後のタグおよび時間軸を描画（図４の左端部分）する（Ｓ７．３）。
ｂ）チャンネル番号およびチャンネルの名称（図４の上端部分）を描画する（Ｓ７．４）。
ｃ）各チャンネルの午前または午後の全ての番組情報を描画する（Ｓ７．５）。
ｄ）ＣＨ＿ＴＯＴＡＬ回ループするまで、ｂ）の処理に戻って繰り返す（Ｓ７．６）。
ｅ）午前、午後ともに番組ガイド画像生成が終了するまで、ａ）に戻る（Ｓ７．７）。
ｆ）メモリ手段１．９に格納された番組ガイド画像を印刷制御手段１．１０に送信する（Ｓ７．８）。
【００３５】
＜第３の実施形態＞
続いて、図面を参照して本発明第３の実施形態について説明する。
本発明の第３の実施形態にかかるテレビジョン受像機の構成例は、本発明の第１の実施形態と同様に図１に示した通りであるため説明を省略する。また、本発明第３の実施形態では、図１の構成におけるシステム制御手段１．１２における処理のみが異なるため、これについて図５の概念図および図８のフロー図を用いて説明する。
【００３６】
本発明第３の実施形態では、視聴可能な全てのチャンネル、２４時間分の番組ガイド情報を、１ページに印刷できるようにフォントサイズを受信可能チャンネル数に応じて変える。図５に本発明第３の実施形態の番組ガイド画像例を示す。本発明第３の実施形態では、全ての情報が１ページに集約されるため、操作者が高齢者でない場合には、必要な情報を早く見つけやすいと同時に、用紙を節約できる利点がある。以下図８のフロー図を用いて詳細に説明する。
【００３７】
システム制御手段１．１２は、上述したデマルチプレックス手段１．３より番組配列情報の各テーブル（図１０参照）を受け（Ｓ８．１）、視聴可能チャンネル数（以下ＣＨ＿ＴＯＴＡＬとする）を算出する（Ｓ８．２）。そしてこのＣＨ＿ＴＯＴＡＬの値と、予め設定された印刷用紙のサイズ情報とに応じて、１チャンネルあたりの有効表示画素数（ＣＨ＿ＷＩＤＥ）ならびにフォントサイズを決定する（Ｓ８．３，Ｓ８．４）。以下、上述した描画手段１．８を用いて、番組ガイドを作成し、これを同じく上述したメモリ手段１．９に格納する処理について説明する。
【００３８】
ａ）午前／午後のタグおよび時間軸を描画（図５の左端部分）する（Ｓ８．５）。
ｂ）チャンネル番号およびチャンネルの名称（図５の上端部分）を描画する（Ｓ８．６）。
ｃ）各チャンネルの全ての番組情報を描画する（Ｓ８．７）。
ｄ）ＣＨ＿ＴＯＴＡＬ回ループするまで、ｂ）の処理に戻って繰り返す（Ｓ８．８）。
ｅ）メモリ手段１．９に格納された番組ガイド画像を印刷制御手段１．１０に送信する（Ｓ８．９）。
【００３９】
上記では、視聴可能な全てのチャンネルの番組情報を１ページに印刷する場合を説明したが、他にも、設定したページ数に印刷したり、指定したチャンネルの番組情報を印刷したり、お好み検索結果の番組の番組情報を所定のページ数に印刷するようにしてもよい。
【００４０】
＜第４の実施形態＞
続いて、図面を参照して本発明第４の実施形態について説明する。
本発明第４の実施形態にかかるテレビジョン受像機の構成例は、本発明の第１の実施形態と同様に図１に示した通りであるため説明を省略する。また、本発明第４の実施形態では、図１の構成におけるシステム制御手段１．１２における処理のみが異なるため、これについて図９のフロー図を用いて説明する。
【００４１】
本発明第４の実施形態では、本発明第１の実施形態、第２の実施形態、第３の実施形態の印刷方式を操作者が選択できるようにする。これにより年齢や、嗜好によらず操作者が見やすいと感じる方法で番組ガイド情報を印刷することが可能となる。また本発明の実施形態では上記３つの印刷方法を切り替える場合について説明しているが、もちろんその内の２組でも良いし、あるいはその他の印刷方法を加えたさらに多くの方式の中から選択するようにしても良いことは言うまでもない。
【００４２】
以下図９のフロー図を用いて詳細に説明する。システム制御手段１．１２は、上述した外部入力受信手段１．７を通して番組ガイド印刷要求を受け付ける（Ｓ９．１）と、上述したデマルチプレックス手段１．３より番組配列情報の各テーブル（図１０参照）を受け（Ｓ９．２）、視聴可能チャンネル数（以下ＣＨ＿ＴＯＴＡＬとする）を算出する（Ｓ９．３）。そしてもし操作者が第３の実施形態にかかる印刷方法（以下１ページ印刷モードとする）を選択している場合、以下のａ）〜ｆ）に示す処理を行う。
【００４３】
ａ）ＣＨ＿ＴＯＴＡＬの値に応じて、１チャンネルあたりの有効表示画素数（ＣＨ＿ＷＩＤＥ）を算出する（Ｓ９．５）。
ｂ）ＣＨ＿ＴＯＴＡＬの値に応じてフォントサイズを決定する（Ｓ９．６）。
ｃ）午前／午後のタグおよび時間軸を描画する（Ｓ９．７）。
ｄ）チャンネル番号およびチャンネルの名称を描画する（Ｓ９．８）。
ｅ）各チャンネルの全ての番組情報を描画する（Ｓ９．９）。
ｆ）ＣＨ＿ＴＯＴＡＬ回ループするまで、ｄ）の処理に戻って繰り返す（Ｓ９．１０）。
【００４４】
もしそうでなく、操作者が第２の実施形態にかかる印刷方法（以下ロール紙印刷モードとする）を選択している場合、以下のｇ）〜ｋ）に示す処理を行う。
ｇ）午前／午後のタグおよび時間軸を描画する（Ｓ９．１２）。
ｈ）チャンネル番号およびチャンネルの名称を描画する（Ｓ９．１３）。
ｉ）各チャンネルの全ての番組情報を描画する（Ｓ９．１４）。
ｊ）ＣＨ＿ＴＯＴＡＬ回ループするまで、ｈ）の処理に戻って繰り返す（Ｓ９．１５）。
ｋ）午前、午後ともに番組ガイド画像生成が終了するまで、ｇ）に戻る（Ｓ９．１６）。
【００４５】
もしそうでなく、操作者が第１の実施形態にかかる印刷方法（以下シルバーモードとする）を選択している場合、以下のｌ）〜ｒ）に示す処理を行う。
ｌ）１ページに印刷可能なチャンネル数（ＣＨ＿ＭＡＸ＿１Ｐ）で上記ＣＨ＿ＴＯＴＡＬを除算し、印刷すべきページ数（ＰＡＧＥ）を算出する（Ｓ９．１７）。
ｍ）午前／午後のタグおよび時間軸を描画する（Ｓ９．１８）。
ｎ）チャンネル番号およびチャンネルの名称を描画する（Ｓ９．１９）。
ｏ）各チャンネルの午前または午後の全ての番組情報を描画する（Ｓ９．２０）。
ｐ）ＣＨ＿ＭＡＸ＿１Ｐ回ループするまで、ｎ）の処理に戻って繰り返す（Ｓ９．２１）。
ｑ）ＰＡＧＥ回ループするまで、ｍ）に戻る（Ｓ９．２２）。
ｒ）午前、午後ともに番組ガイド画像生成が終了するまで、ｍ）に戻る（Ｓ９．２３）。
【００４６】
そして上記１ページ印刷モード、ロール紙印刷モード、シルバーモードの各モードにより作成され、メモリ手段１．９に格納された番組ガイド画像を、印刷制御手段１．１０に送信する（Ｓ９．２４）。
【００４７】
本発明の第１〜第４の実施形態によれば、見やすく印刷された番組ガイド情報により、ほしい情報を簡単に、かつ迅速に得ることができるテレビジョン受像機を提供することが可能となる。
【００４８】
本実施形態は、コンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のプログラムプロダクトも本発明の実施形態として適用することができる。上記のプログラム、記録媒体、伝送媒体及びプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４９】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５０】
【図１】本発明の実施形態にかかる全体構成例を説明するためのブロック図である。
【図２】従来例にかかるＥＰＧ画像を説明するための概念図である。
【図３】本発明の第１の実施形態にかかる番組ガイド情報画像を説明するための概念図である。
【図４】本発明の第２の実施形態にかかる番組ガイド情報画像を説明するための概念図である。
【図５】本発明の第３の実施形態にかかる番組ガイド情報画像を説明するための概念図である。
【図６】本発明の第１の実施形態にかかるシステム制御手段を説明するためのフロー図である。
【図７】本発明の第２の実施形態にかかるシステム制御手段を説明するためのフロー図である。
【図８】本発明の第３の実施形態にかかるシステム制御手段を説明するためのフロー図である。
【図９】本発明の第４の実施形態にかかるシステム制御手段を説明するためのフロー図である。
【図１０】デジタル放送の番組配列情報にかかるテーブルについて説明するための図である。
【図１１】デジタル放送の番組配列情報にかかるテーブルについて説明するための図である。
【符号の説明】
【００５１】
１．１  フロントエンド手段
１．２  ＣＡ手段
１．３  デマルチプレックス手段
１．４  デコーダー手段
１．５  表示制御手段
１．６  表示手段
１．７  外部入力受信手段
１．８  描画手段
１．９  メモリ手段
１．１０  印刷制御手段
１．１１  印刷手段
１．１２  システム制御手段
【図１】
2004208294.tif 000003
【図２】
2004208294.tif 000004
【図３】
2004208294.tif 000005
【図４】
2004208294.tif 000006
【図５】
2004208294.tif 000007
【図６】
2004208294.tif 000008
【図７】
2004208294.tif 000009
【図８】
2004208294.tif 000010
【図９】
2004208294.tif 000011
【図１０】
2004208294.tif 000012
【図１１】
2004208294.tif 000013